(57)【要約】【課題】従来の表示システムでは、規格内のディスプレイであれば表示可能であっても、任意の形状のディスプレイでは、ディスプレイの画面形状に合わせて画像を表示することができない。【解決手段】多数の画素を有するディスプレイ（１１）と、ディスプレイに表示データを書込むデータ書込み装置（１２）とから構成される表示システムであって、ディスプレイ（１１）は、各画素に画面形状を検出するための画面形状検出部を有し、データ書込み装置（１２）は、画面形状検出部からの信号に基づいてディスプレイの画面形状を検出する画面形状検出手段と、画面形状検出手段により検出された画面形状に合わせて表示データを加工する編集手段と、編集手段により加工された表示データをディスプレイに書込む書込み手段と、を有する表示システムである。【選択図】図１
2008040071.tif 000002
【特許請求の範囲】
【請求項１】
多数の画素を有するディスプレイと、前記ディスプレイに表示データを書込むデータ書込み装置とから構成される表示システムであって、
前記ディスプレイは、各画素に画面形状を検出するための画面形状検出部を有し、
前記データ書込み装置は、前記画面形状検出部からの信号に基づいて前記ディスプレイの画面形状を検出する画面形状検出手段と、前記画面形状検出手段により検出された画面形状に合わせて表示データを加工する編集手段と、前記編集手段により加工された表示データを前記ディスプレイに書込む書込み手段とを有する表示システム。
【請求項２】
前記データ書込み装置は、表示データをコンテンツサーバから得るデータ取得手段を有し、
前記編集手段は、前記データ取得手段から得た表示データを画面形状に合わせて加工する請求項１に記載の表示システム。
【請求項３】
前記画面形状検出部は、各画素に配置された光センサである請求項１に記載の表示システム。
【請求項４】
前記光センサは、前記画素として用いる有機ＥＬ素子自体である請求項３に記載の表示システム。
【請求項５】
前記画面形状検出部は、各画素に配置された配線である請求項１に記載の表示システム。
【発明の詳細な説明】
【技術分野】
【０００１】
本発明は、画像を表示する表示システムに関し、特に、ディスプレイと、ディスプレイに表示データを書込む書込み装置とから構成される表示システムに関するものである。
【背景技術】
【０００２】
近年、無機材料に代わり有機材料を用いたデバイスの開発が活発に行われている。有機太陽電池や有機トランジスタの研究報告が学会を賑わせ、有機ELディスプレイに至っては携帯電話や携帯オーディオなどの一部の商品には既に使われている。このような有機デバイスの開発・製品化の広がりは、有機材料の持つフレキシブル性、低い製造温度（200℃以下）による低コスト性、また、インクジェット法などによる製造面積増大の容易性など無機材料にはない多くの特性が要因となっている。中でも特にディスプレイにおける開発は目覚しく、様々なフレキシブルなディスプレイが開発されている。
【０００３】
このようなディスプレイは、プラスチックでできたシート上に、有機ＥＬディスプレイや電気泳動ディスプレイなど様々な方式の表示部を備え、シートを曲げてもデータを表示することができる。さらに、プラスチックでできていることから、ディスプレイを任意の形状に加工しやすく、様々な形状のディスプレイを容易に作製することができる。よって、今後、使用目的に応じて任意の形状のディスプレイが増えてくるものと予想される。
【０００４】
なお、ある画素数を想定して作製された画像を画素数の異なるディスプレイに表示する場合、ディスプレイの画素数が画像の画素数と同じであれば画像はそのまま表示されるが、画像とディスプレイの画素数が異なると画像の一部が欠落して表示されたりする。このような問題を解決するために、特許文献１には、ディスプレイの解像度を識別し、画像をディスプレイの解像度に合わせて補正して表示する表示システムが提案されている。
【特許文献１】特開２００１−１６６７５４号公報
【発明の開示】
【発明が解決しようとする課題】
【０００５】
上記従来の表示システムでは、ディスプレイの解像度を識別し、その解像度に合わせて画像を補正することで、同一画像を解像度の異なる様々なディスプレイに表示することができる。しかし、この従来の表示システムにおいて、ディスプレイの画素はｍ行×ｎ列に配列されたものしか想定されていない。前述したとおり、今後プラスチック基板を用いた任意の形状のフレキシブルなディスプレイが増えてくると予想される。この場合、例えばｍ行×ｎ列に画素が配列されたディスプレイ用の表示データを、任意の形状のディスプレイに表示することが必要となる。従来の表示システムでは、規格内のディスプレイであれば表示可能であっても、任意の形状のディスプレイでは、ディスプレイの画面形状に合わせて画像を表示することができない。
【０００６】
このような任意の形状のディスプレイに表示する用途は、今のところ議論はされていない。しかし、例えば、任意の形状に加工されたディスプレイを、商品の値段や情報を表示する値札や広告、２次元バーコード等を表示した認証キー、鞄や服、顔等に貼り付けるシール、爪形状に加工したネールアートとして用いる用途などが考えられる。
【０００７】
本発明は、かかる点に鑑みてなされたものであり、その目的とするところは、任意の形状に加工したディスプレイの形状に応じて画像を表示する表示システムを提供することである。
【課題を解決するための手段】
【０００８】
上記課題を解決するために、本発明の表示システムは、多数の画素を有するディスプレイと、ディスプレイに表示データを書込むデータ書込み装置とから構成される表示システムであって、ディスプレイは、各画素に画面形状を検出するための画面形状検出部を有し、データ書込み装置は、画面形状検出部からの信号に基づいてディスプレイの画面形状を検出する画面形状検出手段と、画面形状検出手段により検出された画面形状に合わせて表示データを加工する編集手段と、編集手段により加工された表示データをディスプレイに書込む書込み手段とを有する。
【０００９】
上記のような構成を有しているので、データ書込み装置がディスプレイの画面形状を検出し、ディスプレイの画面形状に合った表示をすることができる。
【００１０】
さらに、本発明の表示システムにおいて、データ書込み装置は、表示データをコンテンツサーバから得るデータ取得手段を有し、編集手段は、データ取得手段から得た表示データを画面形状に合わせて加工することが好ましい。このような構成とすることにより、パソコンや携帯電話などの通信端末、ハードディスクやＤＶＤなどメモリといった各種インフラを用いて簡単に表示データを取得し、任意の画面形状のディスプレイに合うように加工して表示をすることができる。
【００１１】
また、本発明の表示システムにおいて、画面形状検出部は、各画素に配置された光センサであることが好ましい。さらに、光センサは、画素として用いる有機ＥＬ素子自体であることが好ましい。
【００１２】
また、本発明の表示システムにおいて、画面形状検出部は、各画素に配置された配線であることが好ましい。このような構成により、低コストにて画面形状を検出することが可能となる。
【発明の効果】
【００１３】
本発明の表示システムは、任意の画面形状に加工されたディスプレイに合わせて、表示データを表示することができる。
【発明を実施するための最良の形態】
【００１４】
以下、本発明の実施形態を図面を用いて詳細に説明する。なお、以下では例を挙げて本発明を説明する場合があるが、本発明は以下に説明する例に限定されない。
【００１５】
（実施形態１）
実施形態１の表示システムの構成の一例を、図１に示す。図１において、１１はディスプレイ、１２はデータ書込み装置である。
【００１６】
ディスプレイ１１は、各画素に画面形状を検出するための画面形状検出部を有している。画素検出部としては、例えば、フォトダイオードやフォトトランジスタ等のような光センサを各画素に配置する。このような各画素に配置された光センサの受光光量を検出することにより、画面形状を知ることができる。例えば、ディスプレイを任意の形状に切り取ったときに、光センサが切り取られていれば光量は検出されない。このため、その画素は切り取られたものと判断できる。このようにして全画素の光センサの出力信号を調べることにより、画面形状を検出することができる。
【００１７】
ディスプレイ１１としては、有機ＥＬディスプレイ、粉流体ディスプレイや電気泳動ディスプレイなどを用いることが可能である。特に、粉流体ディスプレイや電気泳動ディスプレイは不揮発性表示可能であり、ディスプレイに電源を備えなくてもデータを表示することができる。このため、シールやネールアートといった大型化が困難なディスプレイに適している。また、有機ＥＬディスプレイを用いた場合は、有機ＥＬの画素自体を光センサとして用いることにより、低コストで画面形状検出部を作製することができる。
【００１８】
また、ディスプレイ１１はデータ書込み装置１２と接続する必要がある。一般的な長方形タイプのディスプレイは、データ書き込み装置との接続部はディスプレイの４辺に設けられている。しかし、ディスプレイを切り取る際に、辺の一部を切り取ってしまうと、ドライバとの接続部も切り取られてしまうためデータを書き込むことができない。そこで、データ書込み装置１２との接続部を持たない辺を設け、その辺のみ切断可能といったディスプレイ切断ルールを設けてもよい。さらには、データ書込み装置１２との接続部をディスプレイの一辺にのみ設け、その一辺は切断しないようなディスプレイ切断ルールを設けることで、ディスプレイの画面形状加工の自由度を広げることができる。
【００１９】
データ書込み装置１２は、ディスプレイ１１の画面形状検出部からの信号に基づいてディスプレイ１１の画面形状を検出する画面形状検出手段と、画面形状検出手段により検出された画面形状に合わせて表示データを加工する編集手段と、編集手段により加工された表示データをディスプレイ１１に書込む書込み手段とを有している。さらに、表示データを保存するデータ記憶手段を有しても良い。データ書込み装置１２としては、パーソナルコンピュータや携帯電話等の通信端末を用いることができる。
【００２０】
ディスプレイ１１へ表示データを書込むまでの手順について図２に示したフローチャートを用いて説明する。まず、ディスプレイ１１とデータ書込み装置１２を接続する。次に、ディスプレイ１１の画面形状検出部からの信号に基づいて、データ書込み装置１２のディスプレイ画面形状検出手段により、ディスプレイ１１の画面形状を検出する。次に、編集手段により、画面形状検出手段で検出された画面形状に合わせて表示データを加工する。次に、編集手段により加工された表示データをディスプレイ１１に書込む。
【００２１】
このような表示システムにより、データ書込み装置１２がディスプレイ１１の画面形状を検出し、ディスプレイの画面形状に合った表示データを表示することができる。
【００２２】
なお、ディスプレイの画面形状に合った表示データとは、データ書込み装置１２の編集手段により画面形状に合わせて加工された表示データのことである。表示データを画面形状に合わせて加工する方法としては、例えば、データ書込み装置１２のディスプレイに表示データおよび画面形状データが映し出され、映し出されたデータを見ながら表示データを画面形状データに合うように相似形に変形する、または表示データを画面形状比に変形する、または表示データから画面形状と同じ形状データを切取り加工する等がある。
【００２３】
（実施形態２）
実施形態２の表示システムの構成の一例を、図３に示す。図３において、２１はディスプレイ、２２はデータ書込み装置、２３はコンテンツサーバである。ディスプレイ２１については実施形態１と同様であるので説明を省略し、実施の形態１と異なるデータ書込み装置２２およびコンテンツサーバ２３について説明する。
【００２４】
データ書込み装置２２は、ディスプレイ１１の画面形状検出部からの信号に基づいてディスプレイ１１の画面形状を検出する画面形状検出手段と、画面形状検出手段により検出された画面形状に合わせて表示データを加工する編集手段と、編集手段により加工された表示データをディスプレイ１１に書込む書込み手段とを有している。さらに、表示データをコンテンツサーバ２３から得るデータ取得手段を有する。データ取得手段により、ネットや無線通信などの通信機能やメモリ等の各種インフラを用いて、コンテンツサーバ２３から表示データを得ることが可能である。コンテンツサーバ２３から得られた表示データを、編集手段を用いてディスプレイ２１の画面形状に合わせて加工し、書込み手段を用いてディスプレイ２１に書込むことが可能である。さらに、表示データを保存するデータ記憶手段を有しても良い。そうすれば、加工・編集した表示データをデータ記憶手段に保存することも可能である。例えば、インターネットを用いて各種表示データを備えたコンテンツサーバ２３にアクセスし、表示したいデータをデータ書込み装置２２のパソコンにダウンロードし、ダウンロードしたデータをデータ編集ソフトによりディスプレイの画面形状に加工、保存し、そのデータをディスプレイ２１に書込むといった利用方法が用いられる。
【００２５】
ディスプレイ２１へ表示データを書込むまでの手順について図４に示したフローチャートを用いて説明する。まず、データ書込み装置２２とディスプレイ２１およびコンテンツサーバ２３を接続する。次に、ディスプレイ２１の画面形状検出部からの信号に基づいて、データ書込み装置２２のディスプレイ画面形状検出手段により、ディスプレイ２１の画面形状を検出する。次に、データ取得手段を用いて、コンテンツサーバ２３からディスプレイ２１に表示したい表示データを選択し、選択した表示データをデータ書込み装置２２に取得する。次に、データ書込み装置２２の編集手段を用いて、コンテンツサーバ２３から得られた表示データをディスプレイの画面形状に合った表示データに加工する。次に、加工、編集された表示データを書込み手段にてディスプレイ２１に書込む。書込まれた表示データは、ディスプレイ２１に表示される。
【００２６】
このような表示システムにより、パソコンや携帯電話などの通信端末、ＨＤやメモリカード等の各種インフラを用いて簡単に表示データを取得、加工でき、任意の画面形状のディスプレイに合わせて加工した表示データをディスプレイに表示することができる。
【００２７】
（実施形態３）
実施形態３の表示システムの構成の一例を、図３に示す。図３において、２１はディスプレイ、２２はデータ書込み装置、２３はコンテンツサーバである。データ書込み装置２２、コンテンツサーバ２３および表示データを書込むまでの手順については実施形態２と同様であるので説明を省略し、実施の形態２と異なるディスプレイ２１について説明する。
【００２８】
図５にディスプレイ２１における画素アレイの一画素を拡大した図を示す。図５において、３１は選択線、３２はデータ線、３３は画素、３４は画面形状検出部としての画面形状検出線である。図５（ａ）に示すように画面形状検出線３４は、画素３３の周囲を囲うように形成されている。また、図５（ｂ）に示すように、画面形状検出線３４は画素３３と同程度の大きさに配線し、画素３３の下層に２次元的に形成されていてもよい。このように画素３３を全て囲うように画素形状検出線を配線することにより、ディスプレイ２１を任意の画素形状に切り取る場合、仮に画素３３の一部が切断されると必ず画素形状検出線３４も切断される。
【００２９】
データ書込み装置２２の画面形状検出手段は、画面形状検出線に電流が流れる場合は画素が切り取られていないと判断し、画面形状検出線に電流が流れない場合には、画素が切り取られていると判断する。このように、画面形状検出線の電流の有無により画素の切断有無を検出することができる。したがって、前述のように仮に画素３３の一部が切断されると必ず画素形状検出線３４も切断されるため、画素形状検出線３４に電流が流れず、画素３３が切断されたことを確実に検出することができる。
【００３０】
このような表示システムにより、任意の大きさに切り取ったディスプレイの画面形状を確実に検出することができ、さらに低コストで作製することができる。
【産業上の利用可能性】
【００３１】
本発明は、ディスプレイを任意の画面形状に加工し用いることができ、一般にディスプレイが利用できる分野、例えば、商品の値段や情報を表示する値札や広告、２次元バーコード等を表示した認証キー、鞄や服、顔等に貼り付けるシール、爪画素形状に加工したネールアートとして利用できる。
【図面の簡単な説明】
【００３２】
【図１】本実施形態１の表示システムの構成図
【図２】本実施形態１における表示手順のフローチャート
【図３】本実施形態２の表示システムの構成図
【図４】本実施形態２における表示手順のフローチャート
【図５】本実施形態３のディスプレイの画素拡大図
【符号の説明】
【００３３】
１１，２１    ディスプレイ
１２，２２    データ書込み装置
２３    コンテンツサーバ
【図１】
2008040071.tif 000003
【図２】
2008040071.tif 000004
【図３】
2008040071.tif 000005
【図４】
2008040071.tif 000006
【図５】
2008040071.tif 000007